【手続補正書】
【提出日】平成24年5月14日(2012.5.14)
【手続補正１】
【補正対象書類名】特許請求の範囲
【補正対象項目名】全文
【補正方法】変更
【補正の内容】
【特許請求の範囲】
【請求項１】
複数のターゲット機器が接続可能なインタフェース部と、
前記インタフェース部を経由してターゲット機器に接続され、ターゲット機器を制御するホスト部と
を有するターゲット機器識別装置であって、
前記ホスト部からの制御信号に基づいて、前記ホスト部が前記インタフェース部を経由して調査対象のターゲット機器を認識できない第１の状態又は前記ホスト部が前記インタフェース部を経由して前記調査対象のターゲット機器を認識できる第２の状態のいずれかに切り替える切り替え手段を有し、
前記ホスト部は、
前記インタフェース部に接続されているターゲット機器の認識結果情報を含むシステムログ情報を記録するログ手段と、
前記システムログ情報からターゲット機器のデバイス識別子を取得するデバイス識別子取得手段と、
前記第１の状態における前記システムログ情報と前記第２の状態における前記システムログ情報とが異なるときに、前記デバイス識別子取得手段に、前記第２の状態における前記システムログ情報において直近に認識されたデバイス識別子を前記調査対象のターゲット機器のデバイス識別子として取得させる制御手段とを有し、
前記切り替え手段は、前記インタフェース部と前記調査対象のターゲット機器との間の接続ラインに備えられたスイッチであり、
前記第１の状態は、前記スイッチが前記接続ラインを切断したオフ状態であり、
前記第２の状態は、前記スイッチが前記接続ラインを接続したオン状態である
ことを特徴とするターゲット機器識別装置。
【請求項２】
前記システムログ情報は、前記第１の状態において前記インタフェース部に接続されているターゲット機器の第１の個数と、前記第２の状態において前記インタフェース部に接続されているターゲット機器の第２の個数とを含み、
前記第１の状態における前記システムログ情報と前記第２の状態における前記システムログ情報とが異なるときは、前記第１の個数と前記第２の個数とが異なるときである
ことを特徴とする請求項１に記載のターゲット機器識別装置。
【請求項３】
複数のターゲット機器が接続可能なインタフェース部と、前記インタフェース部を経由してターゲット機器に接続され、ターゲット機器を制御するホスト部と、前記ホスト部からの制御信号に基づいて、前記ホスト部が前記インタフェース部を経由して調査対象のターゲット機器を認識できない第１の状態又は前記ホスト部が前記インタフェース部を経由して前記調査対象のターゲット機器を認識できる第２の状態のいずれかに切り替える切り替え手段とを有する装置において実行されるターゲット機器識別方法であって、
前記第１の状態において、前記インタフェース部に接続されているターゲット機器の認識結果情報を含むシステムログ情報を記録するステップと、
前記第１の状態から前記第２の状態へ切り替えるステップと、
前記第２の状態への切り替え後において、前記インタフェース部に接続されているターゲット機器の認識結果情報を含むシステムログ情報を記録するステップと、
前記第１の状態における前記システムログ情報と前記第２の状態における前記システムログ情報とが異なるか否かを判定するステップと、
前記第１の状態における前記システムログ情報と前記第２の状態における前記システムログ情報とが異なると判定されたときに、前記第２の状態における前記システムログ情報において直近に認識されたデバイス識別子を前記調査対象のターゲット機器のデバイス識別子として取得するステップとを有し、
前記切り替え手段は、前記インタフェース部と前記調査対象のターゲット機器との間の接続ラインに備えられたスイッチであり、
前記第１の状態は、前記スイッチが前記接続ラインを切断したオフ状態であり、
前記第２の状態は、前記スイッチが前記接続ラインを接続したオン状態である
ことを特徴とするターゲット機器識別方法。
【請求項４】
前記システムログ情報は、前記第１の状態において前記インタフェース部に接続されているターゲット機器の第１の個数と、前記第２の状態において前記インタフェース部に接続されているターゲット機器の第２の個数とを含み、
前記第１の状態における前記システムログ情報と前記第２の状態における前記システムログ情報とが異なるときは、前記第１の個数と前記第２の個数とが異なるときである
ことを特徴とする請求項３に記載のターゲット機器識別方法。
【手続補正２】
【補正対象書類名】明細書
【補正対象項目名】００１０
【補正方法】変更
【補正の内容】
【００１０】
本発明に係るターゲット機器識別装置は、複数のターゲット機器が接続可能なインタフェース部と、前記インタフェース部を経由してターゲット機器に接続され、ターゲット機器を制御するホスト部とを有するターゲット機器識別装置であって、前記ホスト部からの制御信号に基づいて、前記ホスト部が前記インタフェース部を経由して調査対象のターゲット機器を認識できない第１の状態又は前記ホスト部が前記インタフェース部を経由して前記調査対象のターゲット機器を認識できる第２の状態のいずれかに切り替える切り替え手段を有し、前記ホスト部は、前記インタフェース部に接続されているターゲット機器の認識結果情報を含むシステムログ情報を記録するログ手段と、前記システムログ情報からターゲット機器のデバイス識別子を取得するデバイス識別子取得手段と、前記第１の状態における前記システムログ情報と前記第２の状態における前記システムログ情報とが異なるときに、前記デバイス識別子取得手段に、前記第２の状態における前記システムログ情報において直近に認識されたデバイス識別子を前記調査対象のターゲット機器のデバイス識別子として取得させる制御手段とを有し、前記切り替え手段は、前記インタフェース部と前記調査対象のターゲット機器との間の接続ラインに備えられたスイッチであり、前記第１の状態は、前記スイッチが前記接続ラインを切断したオフ状態であり、前記第２の状態は、前記スイッチが前記接続ラインを接続したオン状態であることを特徴としている。
【手続補正３】
【補正対象書類名】明細書
【補正対象項目名】００１１
【補正方法】変更
【補正の内容】
【００１１】
また、本発明に係るターゲット機器識別方法は、複数のターゲット機器が接続可能なインタフェース部と、前記インタフェース部を経由してターゲット機器に接続され、ターゲット機器を制御するホスト部と、前記ホスト部からの制御信号に基づいて、前記ホスト部が前記インタフェース部を経由して調査対象のターゲット機器を認識できない第１の状態又は前記ホスト部が前記インタフェース部を経由して前記調査対象のターゲット機器を認識できる第２の状態のいずれかに切り替える切り替え手段とを有する装置において実行されるターゲット機器識別方法であって、前記第１の状態において、前記インタフェース部に接続されているターゲット機器の認識結果情報を含むシステムログ情報を記録するステップと、前記第１の状態から前記第２の状態へ切り替えるステップと、前記第２の状態への切り替え後において、前記インタフェース部に接続されているターゲット機器の認識結果情報を含むシステムログ情報を記録するステップと、前記第１の状態における前記システムログ情報と前記第２の状態における前記システムログ情報とが異なるか否かを判定するステップと、前記第１の状態における前記システムログ情報と前記第２の状態における前記システムログ情報とが異なると判定されたときに、前記第２の状態における前記システムログ情報において直近に認識されたデバイス識別子を前記調査対象のターゲット機器のデバイス識別子として取得するステップとを有し、前記切り替え手段は、前記インタフェース部と前記調査対象のターゲット機器との間の接続ラインに備えられたスイッチであり、前記第１の状態は、前記スイッチが前記接続ラインを切断したオフ状態であり、前記第２の状態は、前記スイッチが前記接続ラインを接続したオン状態であることを特徴としている。